(57)【要約】【課題】簡易な構成で、固定コンタクト１３の固定接点１３ｆに対する可動コンタクト１２の接触性を向上させることを可能とする。【解決手段】可動コンタクト１２が当接・離間する固定コンタクト１３の折曲延出部１３ａ１の先端縁を切り欠くようにして接点凹部１３ａ２を形成し、その接点凹部１３ａ２の切欠き空間を形成している内周端縁における板厚端面に固定接点１３ｆを設け、当該固定接点１３ｆを有する板厚端面に対して可動コンタクト１２を形成している板状部材の端縁部を接触・離間させる構成によって、固定コンタクト１３の固定接点１３ｆを有する板厚端面上に可動コンタクト１２の端縁部を圧接させてから、擦れ状態で移動した後に停止させて電気的な接触状態とし、その際に得られる、いわゆるワイピング効果により電気的な接続特性を良好に維持するようにしたものである。【選択図】図２４
2016213073.tif 000002
【特許請求の範囲】
【請求項１】
相手コネクタの嵌合・抜去方向に弾性変位可能に取り付けられた板状部材からなる可動コンタクトが、当該可動コンタクトに対向配置された板状部材からなる固定コンタクトの固定接点に対して接触・離間するように構成され、
前記固定コンタクトを構成している板状部材が、前記可動コンタクトとの対向方向に向かって片持ち状をなすように延在するように形成されているとともに、前記可動コンタクトとの対向方向に対して傾斜又は直交する方向に折れ曲がって延出する折曲延出部を有し、
当該固定コンタクトの折曲延出部における先端縁の板厚を構成している板厚端面に前記固定接点が形成されたスイッチ付同軸コネクタにおいて、
前記固定コンタクトの折曲延出部における先端縁に、当該折曲延出部の一部を切り欠くようにして接点凹部が形成され、
その接点凹部の切欠き空間を形成している内周端縁の板厚を構成している前記板厚端面に前記固定接点が設けられたものであって、
前記接点凹部の板厚端面に設けられた前記固定接点に対して、前記可動コンタクトを形成している板状部材の端縁部が、接触・離間するように構成されていることを特徴とするスイッチ付同軸コネクタ。
【請求項２】
前記接点凹部の切欠き空間は、前記固定コンタクトの折曲延出部の表面に直交する方向に見たときに略台形状をなすように形成され、
当該略台形状をなす切欠き空間を形成している内周端縁が、互いに対向する一対の傾斜縁を有し、
当該一対の対向傾斜縁の板厚を構成している前記板厚端面に前記固定接点が設けられていることを特徴とする請求項１記載のスイッチ付同軸コネクタ。
【請求項３】
前記接点凹部の内周端縁が、前記一対の対向傾斜縁を結ぶ底縁を有し、その底縁の幅寸法をＷ１とするとともに、前記接点凹部を形成している切欠き空間の開口部における幅寸法をＷ２とし、かつ前記可動コンタクトを形成している板状部材の板幅寸法をＷ３としたとき、Ｗ１＜Ｗ３＜Ｗ２の関係になされていることを特徴とする請求項２記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話・スマートフォンやタブレット型パソコンなどのような電子機器又は電気機器において、機器内に設けられた高周波回路等の各種電子回路の状態や性能を検査するための小型回路検査スイッチとしてスイッチ付同軸コネクタがしばしば採用されている。例えば、下記の特許文献等に開示された回路検査スイッチは、機器本体の電子回路を分断するように回路基板上に実装されたスイッチ付同軸コネクタからなるものであって、当該スイッチ付同軸コネクタの絶縁ハウジングの内部には、信号伝送用の可動コンタクトと固定コンタクトとからなるコンタクト対が取り付けられており、それら一対の可動コンタクト及び固定コンタクトが、機器本体に設けられた電子回路（図示省略）の一方側及び他方側にそれぞれ接続されている。
【０００３】
そして、絶縁ハウジングに設けられた相手挿入穴を通して、相手コネクタである検査用プラグコネクタのプローブ（検査針）が、上方側からコネクタ内部に挿入されると、当該検査用プラグコネクタのプローブの先端部分は、上下方向に弾性変位可能に設けられた可動コンタクトの自由端部分を押し下げるように圧接する。それによって可動コンタクトが下方側に揺動し、固定コンタクトの先端部分に設けられた固定接点から離間される。その結果、本来の電子回路が分断されると同時に、検査用プラグコネクタのプローブの下端部分に可動コンタクトが接触して機器本体の他の電子回路が導通状態となり、当該プローブを通して電子回路からの電気信号が外部に取り出され、その外部に取り出された電気信号を用いて、例えば所定の検査が実行される。
【０００４】
しかしながら、このような構成を有するスイッチ付同軸コネクタにおいては、上述したように固定コンタクトの固定接点に対して可動コンタクトによる当接・離間が繰り返されることから、固定コンタクトの固定接点と可動コンタクトとの接触表面上に被膜を生じ、あるいは塵埃等が蓄積することなどの原因で、電気的な接続が良好に行われなくなって接続信頼性の低下を招来するおそれがある。
【先行技術文献】
【特許文献】
【０００５】
【特許文献１】特開平１１−２６５７６１号公報
【特許文献２】特開２０１２−２３８４５７号公報
【特許文献３】特開２００２−３５９０３９号公報
【特許文献４】特許５５３２０４１号公報
【発明の概要】
【発明が解決しようとする課題】
【０００６】
そこで本発明は、簡易な構成で、固定コンタクトの固定接点に対する可動コンタクトの電気的な接続性を向上させることができるようにしたスイッチ付同軸コネクタを提供することを目的とする。
【課題を解決するための手段】
【０００７】
上記目的を達成するため本発明では、相手コネクタの嵌合・抜去方向に弾性変位可能に取り付けられた板状部材からなる可動コンタクトが、当該可動コンタクトに対向配置された板状部材からなる固定コンタクトの固定接点に対して接触・離間するように構成され、前記固定コンタクトを構成している板状部材が、前記可動コンタクトとの対向方向に向かって片持ち状をなすように延在するように形成されているとともに、前記可動コンタクトとの対向方向に対して傾斜又は直交する方向に折れ曲がって延出する折曲延出部を有し、当該固定コンタクトの折曲延出部における先端縁の板厚を構成している板厚端面に前記固定接点が形成されたスイッチ付同軸コネクタにおいて、前記固定コンタクトの折曲延出部における先端縁に、当該折曲延出部の一部を切り欠くようにして接点凹部が形成され、その接点凹部の切欠き空間を形成している内周端縁の板厚を構成している前記板厚端面に前記固定接点が設けられたものであって、前記接点凹部の板厚端面に設けられた前記固定接点に対して、前記可動コンタクトを形成している板状部材の端縁部が、接触・離間する構成が採用されている。
【０００８】
このような構成を有するスイッチ付同軸コネクタによれば、固定コンタクトの固定接点に可動コンタクトが接触するにあたって、固定コンタクトの固定接点を有する板厚端面上に可動コンタクトの端縁部が当接した後に、当該可動コンタクトの端縁部が、固定コンタクトの板厚端面上を擦れ状態でやや移動してから停止して電気的な接触状態になされることから、固定接点上の被膜や塵埃等に対する、いわゆるワイピング効果が得られることとなり、電気的な接続特性が良好に維持される。
【０００９】
また、本発明における前記接点凹部の切欠き空間は、前記固定コンタクトの折曲延出部の表面に直交する方向に見たときに略台形状をなすように形成され、当該略台形状をなす切欠き空間を形成している内周端縁が、互いに対向する一対の傾斜縁を有し、当該一対の対向傾斜縁の板厚を構成している前記板厚端面に前記固定接点が設けられていることが可能である。
【００１０】
さらに、本発明においては、前記接点凹部の内周端縁が、前記一対の対向傾斜縁を結ぶ底縁を有し、その底縁の幅寸法をＷ１とするとともに、前記接点凹部を形成している切欠き空間の開口部における幅寸法をＷ２とし、かつ前記可動コンタクトを形成している板状部材の板幅寸法をＷ３としたとき、Ｗ１＜Ｗ３＜Ｗ２の関係になされていることが望ましい。
【００１１】
このような構成を有するスイッチ付同軸コネクタによれば、固定コンタクトの固定接点を有する板厚端面に対する可動コンタクトの、いわゆるワイピング効果が確実に得られる。
【発明の効果】
【００１２】
以上述べたように本発明にかかるスイッチ付同軸コネクタは、可動コンタクトが当接・離間する固定コンタクトの先端縁を切り欠くようにして接点凹部を形成し、その接点凹部の切欠き空間を形成している内周端縁における板厚端面に固定接点を設け、当該固定接点を有する板厚端面に対して可動コンタクトを形成している板状部材の端縁部を接触・離間させる構成によって、固定コンタクトの固定接点を有する板厚端面上に可動コンタクトの端縁部を当接させてから擦れ状態で移動させる、いわゆるワイピング効果によって電気的な接続特性を良好に維持するようにしたものであるから、簡易な構成で、固定コンタクトの固定接点に対する可動コンタクトの電気的接続性を向上させることができ、スイッチ付同軸コネクタの信頼性を安価かつ大幅に高めることができる。
【図面の簡単な説明】
【００１３】
【図１】本発明の一実施形態にかかる回路検査スイッチを構成しているスイッチ付同軸コネクタの全体構造を正面上方側から見たときの外観斜視説明図である。
【図２】図１に示された本発明の一実施形態にかかるスイッチ付同軸コネクタの全体構造を正面下方側から見たときの外観斜視説明図である。
【図３】図１及び図２に示された本発明の一実施形態にかかるスイッチ付同軸コネクタの平面説明図である。
【図４】図１乃至図３に示された本発明の一実施形態にかかるスイッチ付同軸コネクタの正面説明図である。
【図５】図１乃至図４に示された本発明の一実施形態にかかるスイッチ付同軸コネクタの底面説明図である。
【図６】図１乃至図５に示された本発明の一実施形態にかかるスイッチ付同軸コネクタの右側面説明図である。
【図７】図１乃至図６に示された本発明の一実施形態にかかるスイッチ付同軸コネクタの左側面説明図である。
【図８】図３中の VIII−VIII 線に沿った縦断面説明図である。
【図９】図１乃至図８に示された本発明の一実施形態にかかるスイッチ付同軸コネクタに用いられている可動コンタクトと固定コンタクトとの配置関係を、可動コンタクトの後方側上方から見たときの外観斜視説明図である。
【図１０】図９に示された可動コンタクトを後方側上方から見たときの外観斜視説明図である。
【図１１】図９及び図１０に示された可動コンタクトを後方側下方から見たときの外観斜視説明図である。
【図１２】図９〜図１１に示された可動コンタクトの平面説明図である。
【図１３】図９〜図１１に示された可動コンタクトの側面説明図である。
【図１４】図９〜図１１に示された可動コンタクトの底面説明図である。
【図１５】図９〜図１１に示された可動コンタクトを前方側から見たときの説明図である。
【図１６】図９〜図１１に示された可動コンタクトを後方側から見たときの説明図である。
【図１７】図１〜図９に示された本発明の一実施形態にかかるスイッチ付同軸コネクタに用いられている固定コンタクトを前方側の上方から見たときの外観斜視説明図である。
【図１８】図１７に示された固定コンタクトを前方側の下方から見たときの外観斜視説明図である。
【図１９】図１７及び図１８に示された固定コンタクトの平面説明図である。
【図２０】図１７及び図１８に示された固定コンタクトの側面説明図である。
【図２１】図１７及び図１８に示された固定コンタクトの底面説明図である。
【図２２】図１７及び図１８に示された固定コンタクトを前方側から見たときの説明図である。
【図２３】図１７及び図１８に示された固定コンタクトを後方側から見たときの説明図である。
【図２４】図８中のXXIV− XXIV線で表した横断面説明図である。
【図２５】本発明の一実施形態にかかるスイッチ付同軸コネクタに対して、相手コネクタ（検査用プラグコネクタ）を含む検査用治具を装着した状態を表した外観斜視説明図である。
【図２６】図８に相当する位置の断面であって、相手コネクタ（検査用プラグコネクタ）が装着された状態を表した縦断面説明図である。
【図２７】相手コネクタ（検査用プラグコネクタ）が装着された状態における可動コンタクトと固定コンタクトとの配置関係を表した図９相当の外観斜視説明図である。
【発明を実施するための形態】
【００１４】
以下、本発明にかかるスイッチ付同軸コネクタを回路検査スイッチとして採用した実施形態を図面に基づいて詳細に説明する。
【００１５】
［回路検査スイッチの全体構造について］
まず、図１〜図８に示された本発明の一実施形態にかかるスイッチ付同軸コネクタ１０は、図示を省略した印刷配線基板上に実装されるものであって、当該スイッチ付同軸コネクタ１０の上方側に、相手コネクタとしての検査用プラグコネクタ２０（図２５及び図２６参照）が配置され、作業者の手で把持された状態で検査用プラグコネクタ２０が下方側のスイッチ付同軸コネクタ１０に向かって適宜の力で押し込まれ、それによって両コネクタ１０，２０同士が嵌合された装着状態になされる。
【００１６】
また、そのような両コネクタ１０，２０同士の嵌合装着状態から、検査用プラグコネクタ２０を把持して上方側に適宜の力で引き上げれば、当該検査用プラグコネクタ２０がスイッチ付同軸コネクタ１０から上方に離脱して抜出が行われる。なお、検査用プラグコネクタ２０の挿抜は、作業者の手で行われることに限られることはなく、機械によって自動的に行うようにしてもよい。以下、この検査用プラグコネクタ２０の挿入方向及び抜出方向を、それぞれ「下方向」及び「上方向」とする。
【００１７】
上述した両コネクタ１０，２０からなる回路検査スイッチ装置の基板実装部分を構成しているスイッチ付同軸コネクタ１０は、携帯電話・スマートフォンやタブレット型パソコン等の電子機器に設けられた電子回路基板（図示省略）上に半田付けにより実装されて使用され、その電子機器に設けられた電子回路を、例えば機器本体側とアンテナ側とを分断又は接続するように配置される。
【００１８】
［絶縁ハウジングについて］
図２６にも示されているように、上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂと、を一体的に有している。
【００１９】
挿入ガイド部１１ｂは、上述したベース枠体部１１ａの上側表面から略円筒状をなして上方に立ち上がるように形成されている。この挿入ガイド部１１ｂの内周側表面は、略すり鉢状をなすように形成されており、当該挿入ガイド部１１ｂの上端縁部分に形成された円環状外縁部から、当該挿入ガイド部１１ｂの中心部分に相手挿入穴として設けられたプローブ挿入穴１１ｃの上方開口部に向かって、斜め下方に延在する傾斜ガイド面１１ｄが形成されている。この傾斜ガイド面１１ｄは、前述した検査用プラグコネクタ２０に設けられたプローブ２０ａをプローブ挿入穴１１ｃに向かって案内する機能を有するものであって、検査用プラグコネクタ２０のプローブ２０ａが、プローブ挿入穴１１ｃの真上に配置されていない状態で下方移動された場合であっても、傾斜ガイド面１１ｄの傾斜面上にプローブ２０ａの先端部が当接されれば、当該プローブ２０ａの先端部が傾斜ガイド面１１ｄに沿って下方に滑り落ちるように移動され、プローブ挿入穴１１ｃまで円滑に案内されるようになっている。
【００２０】
相手挿入穴として設けられたプローブ挿入穴１１ｃは、上述したように挿入ガイド部１１ｂの上端開口部からベース枠体部１１ａの中心軸に沿って下方に延出しており、絶縁ハウジング１１の右側面と左側面との間を貫通するように設けられたコンタクト挿入通路１１ｅに対して上方側から開口するように設けられている。このプローブ挿入穴１１ｃは、後述する一方の可動コンタクト１２の上方位置に上下方向に延在するように設けられており、検査用プラグコネクタ２０のプローブ２０ａが挿入可能な内径を有する中空円筒状の通路構造をなすように形成されている。また、当該プローブ挿入穴１１ｃの上方開口部の周囲には、上述した挿入ガイド部１１ｂが略同心状をなすように配置されている。
【００２１】
［コンタクトについて］
一方、図９〜図２３にも示されているように、絶縁ハウジング１１のベース枠体部１１ａに設けられたコンタクト挿入通路１１ｅの内部には、信号伝送用の可動コンタクト１２、及び固定コンタクト１３が、上述した検査用プラグコネクタ（相手コネクタ）２０の挿入・抜去の方向（上下方向）に対して略直交する水平方向に、互いに対向するように挿入されて取り付けられている。以下、これらの可動コンタクト１２及び固定コンタクト１３同士が対向する方向を「コンタクト対向方向」と呼び、また、各コンタクト１２，１３の各々においては、相手側のコンタクトに向かっている方向を「前方」、その反対方向を「後方」とする。
【００２２】
これらの可動コンタクト１２、及び固定コンタクト１３は、いわゆるコンタクト対を構成するものであって、絶縁ハウジング１１において対向する両側端面から上述したコンタクト挿入通路１１ｅの内部に対面するように挿入されて取り付けられており、それらの両コンタクト１２，１３同士が互いに弾性的に接触した状態となるように配置されている。このときの両コンタクト１２，１３同士の接触状態は、後述するように検査用プラグコネクタ（相手コネクタ）２０の嵌合によって解除されて離間状態になされる。
【００２３】
ここで、上述した可動コンタクト１２は、「上下方向」の可撓性を有するように延在する弾性ビーム状部材１２ａを有している一方、固定コンタクト１３は、略不動の状態で延在する固定ビーム状部材１３ａを有している。それらの弾性ビーム状部材１２ａ及び固定ビーム状部材１３ａは、後述するように絶縁ハウジング１１に対して、固定状態となるように保持された固定基板１２ｂ，１３ｂから、コンタクト対向方向である前方に向かって片持ち状に延出している。これらの弾性ビーム状部材１２ａ及び固定ビーム状部材１３ａの具体的な構造については、後段において詳細に説明する。
【００２４】
［固定基板について］
上述したように弾性ビーム状部材１２ａ及び固定ビーム状部材１３ａの根元部分を構成している固定基板１２ｂ，１３ｂは、略水平に延在する板状部材から形成されており、当該固定基板１２ｂ，１３ｂの両側縁部、すなわち「コンタクト対向方向」及び「上下方向」の双方と直交する「板幅方向」の両端部からは、絶縁ハウジング１１に対する固定部としての固定延設片１２ｃ，１３ｃが、両側外方に向かって略水平に延出している。これらの固定延設片１２ｃ，１３ｃは、固定基板１２ｂ，１３ｂの両側外方において、弾性ビーム状部材１２ａ及び固定ビーム状部材１３ａに沿うようにして前後方向に略水平に突出するように形成されており、絶縁ハウジング１１の壁面に溝状をなすように凹設された固定溝部に対して圧入されている。そして、これら固定延設片１２ｃ，１３ｃの絶縁ハウジング１１に対する係合力によって、可動コンタクト１２及び固定コンタクト１３の全体の保持が行われる構成になされている。
【００２５】
このように本実施形態においては、固定基部１２ｂ，１３ｂを保持する固定延設片１２ｃ，１３ｃが、固定基部１２ｂ，１３ｂの両側において弾性ビーム状部材１２ａ及び固定ビーム状部材１３ａの長手方向に突出するように形成されていることから、当該固定延設片１２ｃ，１３ｃの固定力で固定基部１２ｂ，１３ｂが強固に支持され、それによって弾性ビーム状部材１２ａ及び固定ビーム状部材１３ａの後述する弾性変位及び保持性に対する支持力が高められ、弾性ビーム状部材１２ａ及び固定ビーム状部材１３ａの全体が、より安定的に保持されて接点部の機能が良好に維持されるようになっている。
【００２６】
また、各固定延設片１２ｃ，１３ｃが固定基板１２ｂ，１３ｂと連結されている両部材同士の連結境界部分には、コンタクト対向方向に沿って延在する切欠き部１２ｄ，１３ｄが、それぞれ形成されている。それらの切欠き部１２ｄ，１３ｄは、平面略Ｕ字形状をなす細幅の溝形状をなすように形成されていて、弾性ビーム状部材１２ａ及び固定ビーム状部材１３ａの根本部分を前方側及び後方側から後方側及び前方側に向かって所定の長さだけ切り込むようにして形成されている。
【００２７】
これらの弾性ビーム状部材１２ａ及び固定ビーム状部材１３ａに設けられた前方側の切欠き部１２ｄ及び１３ｄは、片持ち状をなす弾性ビーム状部材１２ａ及び固定ビーム状部材１３ａの根本位置を決定している。すなわち、当該弾性ビーム状部材１２ａ及び固定ビーム状部材１３ａは、前方側に設けられた切欠き部１２ｄ及び１３ｄにおける奥側（後端側）の溝端を起点として、固定基板１２ｂ及び１３ｂから前方側（相手コンタクト側）に向かって片持ち状をなして一体的に延出しており、前方側の切欠き部１２ｄ及び１３ｄの溝端と、後方側の切欠き部１２ｄ及び１３ｄの溝端との間部分が、固定基板１２ｂ及び１３ｂの前後方向における中実肉厚領域になされている。
【００２８】
このうち可動コンタクト１２側の固定基板１２ｂを構成している中実肉厚領域の前後方向における寸法は、上述した検査用プラグコネクタ（相手コネクタ）２０の押圧力に抗して可動コンタクト１２の全体を良好に保持可能とする剛性を備えるように決定されている。また、固定コンタクト１３側の固定基板１３ｂを構成している中実肉厚領域の前後方向における寸法は、可動コンタクト１２からの接触力に抗して固定コンタクト１３の全体を良好に保持可能とする剛性を備えるように決定されている。
【００２９】
さらに、上述した各固定基板１２ｂ，１３ｂにおいて、弾性ビーム状部材１２ａ及び固定ビーム状部材１３ａが突出している端縁部と反対側の端縁部分、すなわち可動コンタクト１２の固定基板１２ｂ及び固定コンタクト１３の固定基板１３ｂにおける後端縁部分のそれぞれが、下方略直角に折り曲げ形成されており、その略直角下方折り曲げ部分の下端部分からコネクタ対向方向である前方側に向かって、板状をなす基板接続部１２ｅ，１３ｅが略水平に延出している。そして、これらの基板接続部１２ｅ，１３ｅの下面が、上述した印刷配線基板（図示省略）上に設けられた信号伝送用の導電路に半田接合されることで実装が行われるようになっている。
【００３０】
このとき、上述した各固定基板１２ｂ，１３ｂから下方に向かって延出する基板接続部１２ｅ，１３ｅは、各々、印刷配線基板（図示省略）の導電路に合わせた幅法を有するように形成されているとともに、絶縁ハウジング１１に設けられたコンタクト挿入通路１１ｅの通路幅に合わせた板幅寸法を備えている。すなわち、それらの基板接続部１２ｅ，１３ｅは、コンタクト挿入通路１１ｅの開口を閉塞する構造になされており、そのような閉塞構造によって、ゴミ等の塵埃がコンタクト挿入通路１１ｅの内方領域に向かって侵入することを防止する構成になされている。
【００３１】
［弾性ビーム状部材及び固定ビーム状部材について］
一方、前述した可動コンタクト１２の弾性ビーム状部材１２ａ、及び固定コンタクト１３の固定ビーム状部材１３ａは、互いに近接するように片持ち状をなして突出する帯板状のバネ部材及び固定部材からそれぞれ形成されている。そのうち、固定コンタクト１３の固定ビーム状部材１３ａは、上述した固定基板１３ｂの前端縁部から、相手側の可動コンタクト１２に向かって略水平に延出しており、その固定ビーム状部材１３ａの先端側に、斜め下方に折れ曲がって延びる折曲延出部１３ａ１が連接されている。
【００３２】
これに対して、可動コンタクト１２の弾性ビーム状部材１２ａは、固定基板１２ｂの前端縁部から、側面視において山形状をなすように折り曲げ形成された湾曲状延在部１２ａ１が一体的に延出しているとともに、その湾曲状延在部１２ａ１から前方側である相手側の固定コンタクト１３側に向かって傾斜状延在部１２ａ２が一体的に連続する構成になされている。この傾斜状延在部１２ａ２は、斜め上方に直線状に延出するように形成されている。
【００３３】
ここで、前述したように本実施形態における可動コンタクト１２の弾性ビーム状部材１２ａは、前方側の切欠き部１２ｄにおける奥側（後端側）の溝端を起点として相手側の固定コンタクト１３側に片持ち状に延出する構成になされているが、その片持ち状部材からなる弾性ビーム状部材１２ａの延出起点である溝端の位置に対して、当該弾性ビーム状部材１２ａが、十分な弾性を備える程度のスパン長を有するように構成されている。
【００３４】
すなわち、前方側切欠き部１２ｄの溝端から片持ち状に延出している弾性ビーム状部材１２ａは、前方側の切欠き部１２ｄの溝端から当該弾性ビーム状部材１２ａの先端部に至るまでの片持ちのスパン長が、上述した湾曲状延在部１２ａ１によって実質的に拡大された構成になされている。より具体的に説明すると、可動コンタクト１２の弾性ビーム状部材１２ａにおいては、上述した固定基板１２ｂの前端部との連結部分、つまり切欠き部１２ｄの奥側（後端側）溝端を起点として片持ち状に延出している根本部分に湾曲状延在部１２ａ１が設けられているとともに、その湾曲状延在部１２ａ１の前方側に一体的に連設された傾斜状延在部１２ａ２が、相手側の固定コンタクト１３側に向かって上方に傾斜しながら直線状に延出する構成になされている。
【００３５】
そのうちの湾曲状延在部１２ａ１は、側面略円弧状をなすように折り曲げ形成されており、固定基板１２ｂの前端部から斜め上方に湾曲形状をなして前方側に延出した後に、当該湾曲形状の頂点に達してから、再び斜め下方に連続的な湾曲形状をなして延びて、当該湾曲状延在部１２ａ１の前端部が、傾斜状延在部１２ａ２に対して一体的に繋げられている。このような弾性ビーム状部材１２ａの全体は、固定基板１２ｂとの連結部分である湾曲状延在部１２ａ１を根本部分、より具体的には片持ち構造の起点である切欠き部１２ｄの奥側（後端側）溝端又はその近傍を支点とした弾性的な可撓性を有し、前記支点を中心とした「上下方向」に揺動可能な構成になされている。
【００３６】
また、このときの可動コンタクト１２は、前述したように絶縁ハウジング１１に形成されたコンタクト挿入通路１１ｅの内部に収容されるようにして取り付けられているが、上述した湾曲状延在部１２ａ１の湾曲形状の頂点は、コンタクト挿入通路１１ｅの内壁面に対して近接又は接触するように配置されている。このように、コンタクト挿入通路１１ｅの内壁面と可動コンタクト１２との隙間が、湾曲状延在部１２ａ１の湾曲形状の頂点により狭められていれば、コンタクト挿入通路１１ｅを通して外部から侵入しようとするゴミ等の塵埃が、湾曲状延在部１２ａ１で堰き止められることとなり、その結果、後述する接点部の機能が良好に維持される。
【００３７】
また、弾性ビーム状部材１２ａの先端側部分を構成している傾斜状延在部１２ａ２は、上述したように湾曲状延在部１２ａ１の延出端から前方側上方に向かって略直線状に斜めに延在しているが、当該傾斜状延在部１２ａ２の延出側の先端部分に可動接点部１２ｆ（図２４参照）が設けられている。
【００３８】
この可動コンタクト１２の弾性ビーム状部材１２ａに設けられた可動接点部１２ｆ（図２４参照）は、当該弾性ビーム状部材１２ａの「板幅方向」、すなわち「コンタクト対向方向」及び「上下方向」の双方と直交する方向における両側端縁部に形成されている。そして、その弾性ビーム状部材１２ａを構成している板状部材の上縁側エッジ部（角部）により形成された可動接点部１２ｆは、後述する固定コンタクト１３の固定ビーム状部材１３ａに設けられた固定接点１３ｆに対して下方側から接触されるように配置されており、これらの両接点部１２ｆ，１３ｆが、弾性ビーム状部材１２ａの弾性付勢力によって弾性的に接触状態に維持される構成になされている。なお、固定接点１３ｆの構造については、後段において詳細に説明することとする。
【００３９】
このような可動コンタクト１２の弾性ビーム状部材１２ａは、前述したプローブ挿入穴１１ｃの直下位置に延在するように配置されており、当該プローブ挿入穴１１ｃの下端開口部が、弾性ビーム状部材１２ａの途中部分に上方側から臨む位置関係になされている。そして、スイッチ付同軸コネクタ１０の上方位置に検査用プラグコネクタ（相手コネクタ）２０が配置され、当該検査用プラグコネクタ２０のプローブ２０ａが、スイッチ付同軸コネクタ１０のプローブ挿入穴１１ｃを通してコネクタ内部に挿入されてくると、特に図２６に示されているように、プローブ挿入穴１１ｃから下方に突出したプローブ２０ａが、可動コンタクト１２の弾性ビーム状部材１２ａの途中部分に上方側から当接する。その後、さらに検査用プラグコネクタ２０が下方に押し下げられると、可動コンタクト１２の弾性ビーム状部材１２ａに設けられた可動接点部１２ｆが、プローブ２０ａの押圧力によって下方側に揺動するように撓み、固定コンタクト１３の固定ビーム状部材１３ａに設けられた固定接点１３ｆから下方に離間されるようになっている。
【００４０】
このとき、可動コンタクト１２の弾性ビーム状部材１２ａの途中位置、すなわち検査用プラグコネクタ２０のプローブ２０ａが当接する位置には、当該検査用プラグコネクタ２０のプローブ２０ａが上方側から接触する接触貫通穴１２ａ３がスリット状をなすように形成されている。この接触貫通穴１２ａ３は、弾性ビーム状部材１２ａの長手方向に沿って細長状に延在する長穴から形成されており、上述したプローブ挿入穴１１ｃの直下位置から前後方向に延在するように設けられている。
【００４１】
このように可動コンタクト１２の弾性ビーム状部材１２ａに接触貫通穴１２ａ３を設けておけば、検査用プラグコネクタ（相手コネクタ）２０が嵌合されていないときに開放状態にあるプローブ挿入穴（相手挿入穴）１１ｃを通して内部に進入するゴミ等の塵埃が、特に弾性ビーム状部材１２ａの傾斜面に沿って下方に案内されていき、接触貫通穴１２ａ３を通して下方に落下することにより接点部分の外方側に排出される。その結果、可動コンタクト１２や固定コンタクト１３の上に塵埃が蓄積することがなくなり、可動コンタクト１２と固定コンタクト１３との電気的な導通性が塵埃により妨げられるおそれが低減される。
【００４２】
また、上述した接触貫通穴１２ａ３の開口縁部には、検査用プラグコネクタ（相手コネクタ）２０のプローブ２０ａに接触する傾斜面が設けられており、当該接触貫通穴１２ａ３の開口縁部が、検査用プラグコネクタ２０のプローブ２０ａの先端側部分に形成された湾曲面に対して略接線方向に接触して、当該接触貫通穴１２ａ３の対角線方向の両側からプローブ２０ａと多点的に当接されるようになっている。
【００４３】
このとき、本実施形態における可動コンタクト１２の弾性ビーム状部材１２ａに設けられた接触貫通穴１２ａ３は、上述したプローブ挿入穴（相手挿入穴）１１ｃの直下位置から後方側に延びて、上述した湾曲状延在部１２ａ１の少なくとも一部を含む領域まで延出している。より具体的には、本実施形態における接触貫通穴１２ａ３の後端側（図８の左端側）部分は、傾斜状延在部１２ａ２が有する湾曲形状の頂点に至るまで延びている。このように本実施形態における可動コンタクト１２に設けられた接触貫通穴１２ａ３は、湾曲状延在部１２ａ１における頂部から弾性ビーム状部材１２ａの長手方向に沿って延出する長穴形状をなすように形成されている。
【００４４】
［固定コンタクトについて］
前述したように固定コンタクト１３の固定ビーム状部材１３ａは、可動コンタクト１２との対向方向である前方側に向かって片持ち状をなすように延出するように形成されているが、その固定ビーム状部材１３ａにおける延出方向の前端部分には、可動コンタクト１２との対向方向（水平方向）に対して斜め下方に傾斜するように折れ曲がって延出する折曲延出部１３ａ１が設けられている。
【００４５】
本実施形態における折曲延出部１３ａ１は、「コンタクト対向方向」である水平方向に対し、側面視（図２０参照）において、約４５°の傾斜角をなして下降するように折り曲げ形成されているが、水平方向に対して直交するように略直角下方に折れ曲がって垂下するように延在する構成も採用することができる。
【００４６】
そして、このような固定コンタクト１３における折曲延出部１３ａ１の先端部分には、当該折曲延出部１３ａ１を先端側から奥側に向かって切り欠くようにして接点凹部１３ａ２が形成されている。その接点凹部１３ａ２を構成している切欠き空間は、上述した折曲延出部１３ａ１の表面に対して直交する方向（水平方向に対して約４５°をなす斜め方向）に見たときに、略台形状をなすように形成されており、当該略台形状の切欠き空間を形成している内周端縁の板厚を構成している板厚端面に前述した固定接点１３ｆが形成されている。
【００４７】
この点をより具体的に説明すると、上述した接点凹部１３ａ２の切欠き空間を形成している略台形状は、互いに対向する一対の両側傾斜縁を有しているが、それら一対の両側傾斜縁において固定コンタクト１３の板厚を構成している板厚端面は、図２０のように「コンタクト対向方向」である水平方向に対して傾斜（約４５°）して延在していると同時に、図２２のように「コンタクト対向方向」に直交する固定コンタクト１３の「板幅方向」に対しても、傾斜（約４５°）して延在している。
【００４８】
このように、略台形状の接点凹部１３ａ２において一対の両側傾斜縁を形成している板厚端面は、「コンタクト対向方向」及び「板幅方向」の双方向に対して傾斜面状をなして延在しており、その接点凹部１３ａ２における傾斜面状の板厚端面に、固定接点１３ｆ，１３ｆが形成されている。そして、それら一対の傾斜状の板厚端面に形成された固定接点１３ｆ，１３ｆに対しては、前述したように可動コンタクト１２の弾性ビーム状部材１２ａの先端部分に設けられた可動接点部１２ｆ，１２ｆ（図２４参照）が、当該弾性ビーム状部材１２ａの弾性力によって下方側から接触し、又はプローブ２０ａの押圧力によって下方側に離間する構成になされている。
【００４９】
このとき、特に図２４に示されているように、上述した接点凹部１３ａ２の切欠き空間を形成している略台形状は、上述した一対の対向傾斜縁を結ぶ底縁を有しているが、その底縁の幅寸法をＷ１とするとともに、接点凹部１３ａ２を形成している略台形状の切欠き空間の開口部における幅寸法をＷ２とし、さらに前述した可動コンタクト１２の弾性ビーム状部材１２ａを形成している板状部材の先端部分における板幅寸法、すなわち可動接点部１２ｆ，１２ｆ同志の間の距離をＷ３としたとき、
Ｗ１＜Ｗ３＜Ｗ２
の関係が成り立つ構成になされている。
【００５０】
このような寸法関係が成り立つ構成が採用されていることによって、固定コンタクト１３の接点凹部１３ａ２の内方領域において可動コンタクト１２の弾性ビーム状部材１２ａが「上下方向」に揺動した際に、固定コンタクト１３の接点凹部１３ａ２に設けられた固定接点１３ｆ，１３ｆの板厚端面の途中位置に、可動コンタクト１２の弾性ビーム状部材１２ａに設けられた可動接点部１２ｆ，１２ｆが、確実に接触する位置関係になされている。
【００５１】
このように、固定コンタクト１３の固定接点１３ｆ，１３ｆに対して、可動コンタクト１２の可動接点部１２ｆ，１２ｆが下方側から弾性的に接触するに際しては、接点凹部１３ａ２の固定接点１３ｆ，１３ｆを形成している板厚端面が、可動コンタクト１２の変位方向（上下方向）に対して傾斜する方向（約４５°）に延在している。すなわち、固定コンタクト１３の固定接点１３ｆ，１３ｆを形成している板厚端面に対して、可動コンタクト１２の可動接点部１２ｆ，１２ｆを形成している端縁エッジ部（角部）が下方側から弾性的に当接すると、その後に、当該可動コンタクト１２の可動接点部１２ｆ，１２ｆである端縁エッジ部（角部）は、固定接点１３ｆ，１３ｆの板厚端面上を擦りながら上方にやや移動して停止し、そこで電気的な接触状態になされる。
【００５２】
従って、本実施形態においては、固定コンタクト１３の固定接点１３ｆ，１３ｆを形成している板厚端面に対して、可動コンタクト１２の可動接点部１２ｆ，１２ｆを形成している端縁角部（エッジ部）による、いわゆるワイピング効果を付与されることとなり、固定接点１３ｆ，１３ｆ上に発生した被膜や塵埃等に対する清掃が定常的に行われることから、電気的な接続特性が良好に維持される。
【００５３】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００５４】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ（相手コネクタ）２０の導電性シェルに設けられた係合突部が嵌め込まれ、それによってスイッチ付同軸コネクタ１０に検査用プラグコネクタ２０が適宜の嵌合力で連結された状態に維持されるようになっている。
【００５５】
また、上述した導電性シェル１４の上面基板１４ａにおける略矩形状の四隅部分には、下方に向かって垂れ下がるように延在する基板接続部１４ｄがそれぞれ連設されている。それらの各基板接続部１４ｄは、上述した上面基板１４ａの端縁から下方に向かって、外方側にやや開くように傾斜して延在しており、上述した上面基板１４ａの端縁からコネクタ外方側に向かって斜め下方に張り出すように延出するテーパ状の傾斜壁面を有しているとともに、その傾斜壁面の下端部から、コネクタ内方に向かって略水平に突出する水平壁面からなる半田接合片１４ｆが連設されている。
【００５６】
それら４体の基板接続部１４ｄの先端部分を形成している半田接合片１４ｆのうち、上述したコンタクト対向方向に隣接する２体の半田接合片１４ｆ，１４ｆ同士は、一体的に連結されており、各基板接続部１４ｄが、図示を省略した配線基板上のグランド用導電路に半田接合されることによって、グランド接続が行われるとともに、スイッチ付同軸コネクタ１０の全体の保持が行われるようになっている。
【００５７】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５８】
さらに、本発明は、上述した実施形態のような回路検査スイッチ以外の用途に用いられるスイッチ付同軸コネクタに対しても同様に適用可能である。
【産業上の利用可能性】
【００５９】
以上のように本発明は、各種電子・電気機器に使用される多種多様なスイッチ付同軸コネクタに対して広く適用することが可能である。
【符号の説明】
【００６０】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト挿入通路
１２  可動コンタクト
１２ａ  弾性ビーム状部材
１２ａ１  湾曲状延在部
１２ａ２  傾斜状延在部
１２ａ３  接触貫通穴
１２ｂ  固定基部
１２ｃ  固定延設片
１２ｄ  切欠き部
１２ｅ  基板接続部
１２ｆ  可動接点部
１３  固定コンタクト
１３ａ  固定ビーム状部材
１３ａ１  折曲延出部
１３ａ２  接点凹部
１３ｂ  固定基部
１３ｃ  固定延設片
１３ｄ  切欠き部
１３ｅ  基板接続部
１３ｆ  固定接点
１４  導電性シェル
１４ａ  上面基板
１４ｂ  グランド端子部
１４ｃ  固定係止溝
１４ｄ  基板接続部
１４ｆ  半田接合片
２０  検査用プラグコネクタ（相手コネクタ）
２０ａ  プローブ
【図１】
2016213073.tif 000003
【図２】
2016213073.tif 000004
【図３】
2016213073.tif 000005
【図４】
2016213073.tif 000006
【図５】
2016213073.tif 000007
【図６】
2016213073.tif 000008
【図７】
2016213073.tif 000009
【図８】
2016213073.tif 000010
【図９】
2016213073.tif 000011
【図１０】
2016213073.tif 000012
【図１１】
2016213073.tif 000013
【図１２】
2016213073.tif 000014
【図１３】
2016213073.tif 000015
【図１４】
2016213073.tif 000016
【図１５】
2016213073.tif 000017
【図１６】
2016213073.tif 000018
【図１７】
2016213073.tif 000019
【図１８】
2016213073.tif 000020
【図１９】
2016213073.tif 000021
【図２０】
2016213073.tif 000022
【図２１】
2016213073.tif 000023
【図２２】
2016213073.tif 000024
【図２３】
2016213073.tif 000025
【図２４】
2016213073.tif 000026
【図２５】
2016213073.tif 000027
【図２６】
2016213073.tif 000028
【図２７】
2016213073.tif 000029